(57)【要約】【課題】小型で高い吸込み性能と静音化を両立させた電気掃除機を提供する。【解決手段】吸引風を発し排気を排出する排気口（１３、１５）を有する電動送風機１１と、前記電動送風機１１の少なくとも一部を覆うケース３０を内蔵した電動送風機室１８と、前記電動送風機室１８から排気風を大気へ排出させる本体排気口２７とを備え、前記ケース３０に前記電動送風機１１からの排気風を前記ケース３０外へ排出させるための排出口（３１、３２、３９）を設けるとともに、前記排出口（３１、３２、３９）から排出された排気風を迂回させるための迂回壁（４０、４１、４２）を有するもので、電動送風機１１から出る耳障りな排気風の音を迂回壁（４０、４１、４２）で遮断して低減できるため、本体の排気流路を小さく形成できるものである。【選択図】図１
2005204693.tif 000002
【特許請求の範囲】
【請求項１】
吸引風を発し排気を排出する排気口を有する電動送風機と、前記電動送風機の少なくとも一部を覆うケースを内蔵した電動送風機室と、前記電動送風機室から排気風を大気へ排出させる本体排気口とを備え、前記ケースに前記電動送風機からの排気風を前記ケース外へ排出させるための排出口を設けるとともに、前記排出口から排出された排気風を迂回させるための迂回壁を有する電気掃除機。
【請求項２】
排出口と本体排気口との排気流路間に迂回壁を設けた請求項１記載の電気掃除機。
【請求項３】
排出口から排出された排気風は、迂回壁により、本体排気口からの排気の吹き出し方向に対して略垂直方向に迂回される請求項１または２記載の電気掃除機。
【請求項４】
排出口から排出された排気風は、迂回壁により、本体排気口からの排気の吹き出し方向に対して略垂直方向でかつ略水平方向に流れるように迂回される請求項３記載の電気掃除機。
【請求項５】
少なくとも排出口に対向した位置に吸音材を設け、迂回壁の少なくとも排気上流側に、前記迂回壁と前記吸音材との間に排気風が流れる空間を形成した請求項１〜４のいずれか１項に記載の電気掃除機。
【請求項６】
少なくとも排出口に対向した位置に、迂回壁の略先端部と略接触させて吸音材を設けた請求項１〜５のいずれか１項に記載の電気掃除機。
【請求項７】
迂回壁を、排気上流側に向かって先端凸になる略円弧状に形成した請求項１〜６のいずれか１項に記載の電気掃除機。
【請求項８】
迂回壁の壁面に沿って吸音材を設けた請求項１〜４のいずれか１項に記載の電気掃除機。
【発明の詳細な説明】
【技術分野】
【０００１】
本発明は小型で高い吸込み性能と静音化を両立させた電気掃除機に関するものである。
【背景技術】
【０００２】
従来の電気掃除機を、図１０を用いて説明する。
【０００３】
掃除機本体１は前部に集塵室２、後部に電動送風機３を内蔵する電動送風機室４が設けられている。また前記電動送風機３位置より上方で本体１の後方に排気する排気口５と、前記電動送風機室４の後部に設けられ、前記電動送風機室４から後方に排気された排気風を上方に方向転換させる第一通路体６と、前記第一通路体６と前記排気口５を結ぶ第二通路体７を備え、前記第二通路体７は前記第一通路体６から排気された排気風を前方向に導いた後、本体の後方側に方向転換させる迂回部８、９が設けられている。
【０００４】
以上のように構成された電気掃除機の動作を説明する。
【０００５】
方向転換させる迂回部８、９により、電動送風機３と排気出口である排気口５との距離が長く形成され、かつ排気が屈曲されることと、排気通路を長く構成できるので、電動送風機３から出る耳障りな音を低減できる（例えば、特許文献１参照）。
【特許文献１】特開平１１−２５３３６７号公報
【発明の開示】
【発明が解決しようとする課題】
【０００６】
しかしながら、上記構成では、電動送風機３から出る耳障りな音を低減させるために、掃除機本体１の電動送風機室４後方に第一通路体６と上方に第二通路体７が設けられているため、掃除機本体１が大きくなり非常に使いづらいものとなっていた。
【０００７】
本発明は上記課題を解決するもので、小型で高い吸込み性能と静音化を両立させた電気掃除機を提供することを目的とするものである。
【課題を解決するための手段】
【０００８】
上記従来の課題を解決するために本発明は、吸引風を発し排気を排出する排気口を有する電動送風機と、前記電動送風機の少なくとも一部を覆うケースを内蔵した電動送風機室と、前記電動送風機室から排気風を大気へ排出させる本体排気口とを備え、前記ケースに前記電動送風機からの排気風を前記ケース外へ排出させるための排出口を設けるとともに、前記排出口から排出された排気風を迂回させるための迂回壁を有するもので、電動送風機から出る耳障りな排気風の音を迂回壁で遮断して低減できるため、本体の排気流路を小さく形成できるものである。
【発明の効果】
【０００９】
本発明は、小型で高い吸込み性能と静音化を両立させた電気掃除機を提供することができる。
【発明を実施するための最良の形態】
【００１０】
第１の発明は、吸引風を発し排気を排出する排気口を有する電動送風機と、前記電動送風機の少なくとも一部を覆うケースを内蔵した電動送風機室と、前記電動送風機室から排気風を大気へ排出させる本体排気口とを備え、前記ケースに前記電動送風機からの排気風を前記ケース外へ排出させるための排出口を設けるとともに、前記排出口から排出された排気風を迂回させるための迂回壁を有するもので、電動送風機から出る耳障りな排気風の音を迂回壁で遮断して低減できるため、本体の排気流路を小さく形成できるものである。
【００１１】
第２の発明は、排出口と本体排気口との排気流路間に迂回壁を設けたもので、排気風が屈曲されるので、排気風の音が直接本体排気口から出ることなく、電動送風機から出る耳障りな音が低減できるのである。
【００１２】
第３の発明は、排出口から排出された排気風は、迂回壁により、本体排気口からの排気の吹き出し方向に対して略垂直方向に迂回されるもので、排気風が屈曲されることと、排気通路を長く構成できるので、電動送風機から出る耳障りな音を低減できるのである。
【００１３】
第４の発明は、排出口から排出された排気風は、迂回壁により、本体排気口からの排気の吹き出し方向に対して略垂直方向でかつ略水平方向に流れるように迂回されるもので、消音ケースに設けた迂回壁の左右方向（水平方向）から出た排気風が、本体の排気口に向かって流れる途中でそれぞれが衝突することより、排気風の流速が緩和されて本体の排気口より排出されるため、電動送風機から出る耳障りな音を低減できるのである。
【００１４】
第５の発明は、少なくとも排出口に対向した位置に吸音材を設け、迂回壁の少なくとも排気上流側に、前記迂回壁と前記吸音材との間に排気風が流れる空間を形成したもので、空間内の排気風が吸音材により吸音されることと、消音ケースに設けた迂回壁により排気風が屈曲されるので電動送風機から出る耳障りな音を低減できるのである。
【００１５】
第６の発明は、少なくとも排出口に対向した位置に、迂回壁の略先端部と略接触させて吸音材を設けたもので、完全に排気風を迂回させることができ、さらに電動送風機から出る耳障りな音を低減できるのである。
【００１６】
第７の発明は、迂回壁を、排気上流側に向かって先端凸になる略円弧状に形成したもので、消音ケースから出た排気風が略円弧状の迂回壁に沿ってスムーズに流れるため、排気風の損失が無く高い吸込み性能が維持でき、さらには迂回壁により排気風が屈曲されるので電動送風機から出る耳障りな音を低減できるのである。
【００１７】
第８の発明は、迂回壁の壁面に沿って吸音材を設けたもので、電動送風機から出る耳障りな排気風の音を迂回壁と吸音材で遮断できるため、さらに低騒音化が行えるのである。
【００１８】
以下、本発明の実施の形態について、図面を参照しながら説明する。なお、この実施の形態によりこの発明が限定されるものではない。
【００１９】
（実施の形態１）
本発明の第１の実施の形態について、図１〜図７を用いて説明する。
【００２０】
図１、図２において、吸引風を発生させる電動送風機１１は吸気口１２と、一定間隔で複数の第一の排気口１３を有したファン部１４と、回転動力を発生させ、第二の排気口１５を有したモータ部１６とから構成されている。１７は電気掃除機本体で、電動送風機１１を配置する電動送風機室１８と、電動送風機１１の吸気口１２の上流側で、吸気口１２に連通する吸込み口１９と塵埃を収集する紙袋２０を配置し、紙袋２０の上流側で塵埃を吸込む吸込み具（図示しない）と紙袋２０に連通する吸引口２１を有する集塵室２２にて構成されている。集塵室２２の上方には集塵室２２を密閉状態に保ち、かつ本体に回転自在に保持された集塵室蓋２３が構成されている。
【００２１】
また、集塵室２２内には紙袋２０を保持し、紙袋２０を集塵室２２より取り出す際に紙袋２０と同時に取り出し可能なバスケット２４を有している。次に前カバー２５は吸引口２１を形成し、ホース（図示しない）を前カバー２５に係止できるよう構成されている。
【００２２】
以下、構成の詳細について説明する。
【００２３】
電動送風機室１８は上部から上カバー２６により覆われ、電気掃除機本体１７の後方には電動送風機１１より排出される本体排気口２７が構成されている。次に電動送風機１１は、ファン部１４前方には電気掃除機本体１７の吸込み口１９とエアータイトを保ち、かつ電動送風機１１の振動を電気掃除機本体１７に伝えないように軟質にて形成されたサポートゴム２８と、またモータ部１６後方には軟質にて形成されたサポートゴム後２９が固定されている。
【００２４】
次に、電動送風機１１全体を覆うように、消音ケース上３０ａと消音ケース下３０ｂの上下２分割にて構成された消音ケース３０を有し、前記サポートゴム後２９は消音ケース３０により係合され電動送風機１１と消音ケース３０との前後、左右、上下の位置決めを行ない、かつ、電動送風機１１の吸引により電動送風機１１が前方に移動するのを防止するとともに電動送風機１１の振動を消音ケース３０に伝達することを防止している。さらに消音ケース３０の下方で、後述する第一の排出口３１と第二の排出口３２に対向する電動送風機室１８の底面には吸音材４３が配設されている。
【００２５】
また、図６に示すように、吸音材４３を電動送風機室１８内の側壁にわたるまで配置すれば、さらに吸音材４３の吸音効果が向上する。
【００２６】
図２〜図７に示すように、消音ケース下３０ｂには第一の排出口３１と第二の排出口３２と第三の排出口３９が形成されている。第一の排出口３１は電動送風機１１の第一の排気口１３とスラスト方向に重ならない位置に配設され、第一の排出口３１の外側後方に迂回壁４０が設けられている。
【００２７】
第二の排出口３２は第ニの排気口１５とスラスト方向に重ならない位置に配設され、第二の排出口３２の外側後方に迂回壁４１が設けられている。第三の排出口３９は、電動送風機１１の第一の排気口１３下方に配設されて、第三の排出口３９の外側後方に略Ｌ型形状の迂回壁４２が第三の排出口３９の前方側に開口するように設けられている。
【００２８】
次に３３は消音ケース３０内にて、第一の排出口３１と第二の排出口３２との通路を区画するための区画壁である。区画壁３３は、図４に示すように、電動送風機１１の断面外形形状の略円形状に沿って先端部形状が構成され、電動送風機１１に略接触している。
【００２９】
さらに、電動送風機１１の第一の排気口１３と消音ケース３０の第一の排出口３１との、消音ケース３０内の通路を分断する隔壁２４が設けられ、前記隔壁２４の電動送風機１１の径方向断面形状は、図３に示すように電動送風機１１の断面外形形状の略円形状に沿って先端部形状が構成され、電動送風機１１との隙間を略一定に構成したものである。
【００３０】
以上のように構成された電気掃除機について、以下その動作、作用を説明する。
【００３１】
電動送風機１１の吸引風により吸込み具（図示しない）から吸引された塵埃と吸引風は、吸引口２１を通過し紙袋２０にて塵埃のみを捕集し、吸引風のみが電動送風機１１の吸気口１２に吸引される。電動送風機１１に吸引された吸引風は一部が、第一の排気口１３より排出され、一部はモータ部１６を通過しモータ部１６を冷却した後に、第二の排気口１５より排出される。この時、区画壁３３によりケース３０内が区画されているため、第一の排気口３３から放出された排気は第一の排出口３１と第三の排出口３９に、第二の排気口１５から排出された排気は第二の排出口３２へと放出される。
【００３２】
まず、第一の排気口１３から排出された排気の一部は、第三の排出口３９から排出された排気は、略Ｌ型形状の迂回壁４２に沿って前方側でかつ左右方向に迂回される。また、他の排気の一部は、隔壁３４と電動送風機１１の間を通過し、区画壁３３に当たった排気は、第一の排出口３１から排出された排気は、迂回壁４０に沿って、左右方向に電動送風機室１８内に排出される。
【００３３】
次に第二の排気口１５から排出された排気は、消音ケース３０内の第二の排出口３２から、迂回壁３２に沿って左右方向に電動送風機室１８内に排出される。つまり、前記吸音材４３と、前記迂回壁４０と前記迂回壁４１とは略接触しているために、排気は本体排気口２７に向かってまっすぐ流れることなく迂回するのである。
【００３４】
それぞれ第一の排出口３１と第二の排出口３２と第三の排出口３９より放出された排気は、電動送風機室１８内を通過し、排気下流側である後方に設けられた本体排気口２７の排気上流部で消音ケース３０に対して左右方向に排出された排気が衝突した後、排気の流速が緩和された状態で、電気掃除機本体１７の本体排気口２７より排出されるため、電動送風機１１から出る耳障りな音を低減できるのである。また、第一の排出口３１と第二の排出口３２に対向する電動送風機室１８の底面には吸音材４３が配設されていることで、音の相殺効果に加え、吸音効果も働くので効果大となるのである。
【００３５】
また、それぞれの排出口３１、３２、３９の排気下流側、つまり前記排出口３１、３２、３９の外側後方に設けられた迂回壁４０、４１、４２に沿って排気が、本体排気口２７からの排気の吹き出し方向に対して、略垂直方向や略水平方向に流れるように迂回されることにより、電動送風機１１と電気掃除機本体１７の本体排気口２７との距離が長く形成され、かつ排気が屈曲されることと、排気通路を長く構成できるので、電動送風機１１から出る耳障りな音を低減できるのである。
【００３６】
（実施の形態２）
本発明の第２の実施の形態について図８、図９をもとに説明する。なお、上記実施の形態と同一部分については同一符号を付してその説明を省略する。
【００３７】
消音ケース下３０ｂに設けた排出口３２の外側後方に消音ケース下３０ｂの排出口３２側が、先端凸になる略円弧状に形成された迂回壁４４が設けられている。迂回壁４４の後方には、前記迂回壁４４の壁面に沿って吸音材４５が固定されている。
【００３８】
以上のように構成された電気掃除機について、以下その動作、作用を説明する。
【００３９】
消音ケース３０から出た排気が略円弧状の迂回壁４４に沿ってスムーズに流れるため、排気風の損失が無く高い吸込み性能が維持でき、さらには迂回壁４４により排気風が屈曲されるので電動送風機から出る耳障りな音を低減できるのである。
【００４０】
また、消音ケース３０に設けた迂回壁に吸音材４５を設けたので、電動送風機１１から出る耳障りな排気の音を迂回壁４４と吸音材４５で遮断できるため、さらに低騒音化が行えるのである。
【００４１】
なお、電気掃除機本体１１の構成で紙袋２０を使用しないサイクロン方式等でも同様の作用と効果が得られるものである。
【産業上の利用可能性】
【００４２】
以上のように、本発明にかかる電気掃除機は、小型で吸込み性能が高く、低騒音が可能となるので、家庭、業務用等、全般の電気掃除機に適用可能である。
【図面の簡単な説明】
【００４３】
【図１】本発明の実施の形態１を示す電気掃除機本体の断面図
【図２】同電気掃除機の拡大断面図
【図３】図２のＡ−Ａ断面図
【図４】図２のＢ−Ｂ断面図
【図５】図２のＣ−Ｃ断面図
【図６】同電気掃除機の断面図
【図７】同消音ケースの下面図
【図８】本発明の実施の形態２を示す電気掃除機の拡大断面図
【図９】同消音ケースの下面図
【図１０】従来の電気掃除機の断面図
【符号の説明】
【００４４】
１１  電動送風機
１３  第一の排気口
１５  第二の排気口
１８  電動送風機室
２７  本体排気口
３０  消音ケース（ケース）
３１  第一の排出口
３２  第二の排出口
３３  区画壁
３４  隔壁
３９  第三の排出口
４０  迂回壁
４１  迂回壁
４２  迂回壁
４３  吸音材
【図１】
2005204693.tif 000003
【図２】
2005204693.tif 000004
【図３】
2005204693.tif 000005
【図４】
2005204693.tif 000006
【図５】
2005204693.tif 000007
【図６】
2005204693.tif 000008
【図７】
2005204693.tif 000009
【図８】
2005204693.tif 000010
【図９】
2005204693.tif 000011
【図１０】
2005204693.tif 000012